(57)【要約】【課題】  搭乗者の乗降時において、乗降性を提供するシート装置とすること。【解決手段】  車両床面に配設されたシート座面と、シート座面に回動自在に支持されたシートバックと、シート座面を車両床面に対し傾動可能に支持する傾動機構と、シート座面に設けられたレッグサポートと、シートバックに設けられたサイドサポート、および搭乗者の乗降を検知する乗降検知部を有するシート装置において、搭乗者の乗降が乗降検知部により検出されたとき、傾動機構、サイドサポート、レッグサポートが車両のドアの方向に向かって傾動制御されるシート装置。【選択図】図１
2008012930.tif 000002
【特許請求の範囲】
【請求項１】
車両床面に配設されたシート座面と、シート座面に回動自在に支持されたシートバックと、シート座面を車両床面に対し傾動可能に支持する傾動機構と、シート座面に設けられたレッグサポートと、シートバックに設けられたサイドサポート、および搭乗者の乗降を検知する乗降検知部を有するシート装置において、搭乗者の乗降が乗降検知部により検出されたとき、傾動機構、サイドサポート、レッグサポートが車両のドアの方向に向かって傾動制御されるシート装置。
【請求項２】
傾動機構、サイドサポート、レッグサポートは各々電動モータにより駆動される請求項１記載のシート装置。
【請求項３】
乗降検知部の出力信号は体重検知装置に入力され体重検知信号の検出信号と強調して傾動機構、サイドサポート、レッグサポートが駆動される請求項１記載のシート装置。
【発明の詳細な説明】
【技術分野】
【０００１】
この発明は、シートクッションやシートバックの両脇部分に配置したサイドサポート、およびシート座面の傾きを電動で作動させるシート制御装置に関する。
【背景技術】
【０００２】
従来、サイドサポートは、シートクッションまたはシートバックから乗員の腰の脇に向けて夫々突出状態でシートに固定されているものが知られていた。従来のシートにおいて、サイドサポートはシートクッションまたはシートバックから乗員の腰の脇に向けて夫々突出状態でシートに固定されているため、乗員が車両から降りる際に腰の横方向への移動が拘束されていることによって車両から降りずらく、また、乗員がシートに座る際にもシートクッションやシートバックから突出しているサイドサポートに腰部分が引っ掛かって座りずらいという問題点があり、前記の問題点を解決することが課題となっていた。
【０００３】
この問題を解決するため、例えば、特許文献１（特開平７−１１１９２９号公報）に示された電動サイドサポート制御装置では、乗車時や降車時に邪魔にならない電動サイドサポート制御装置を提供していた。具体的には、乗員が降車する状態になると、サイドサポートを下げ、乗員が乗車して車両が走行するとサイドサポートを上げる電動サイドサポート制御装置としていた。
【特許文献１】特開平７−１１１９２９号
【発明の開示】
【発明が解決しようとする課題】
【０００４】
ところが、前記した特許文献１による電動サイドサポート制御装置では、スポーツタイプのシートの場合、運転時のホールド性を高めるため体を包みこむようにサイドサポートとともに大腿部をホールドする部分も設けられ、このホールド部分が乗降性の阻害要因となっていた。
【０００５】
本発明は、前記した従来技術の抱えた課題を解決するために成されたものであり、搭乗者のシートのホールド性を高めるための構造（サポート部）を乗降時に制御すると共に、シート全体の制御も行うことにより快適な乗降性を提供できるシート装置とすることを技術課題とした。
【課題を解決するための手段】
【０００６】
上記課題を解決するために講じた技術的手段は、車両床面に配設されたシート座面と、シート座面に回動自在に支持されたシートバックと、シート座面を車両床面に対し傾動可能に支持する傾動機構と、シート座面に設けられたレッグサポートと、シートバックに設けられたサイドサポート、および搭乗者の乗降を検知する乗降検知部を有するシート装置において、搭乗者の乗降が乗降検知部により検出されたとき、傾動機構、サイドサポート、レッグサポートが車両のドアの方向に向かって傾動制御されるシート装置としたことである。
【発明の効果】
【０００７】
上記技術手段を講じたことにより、シート各部が乗降時に際して動作し全体としてフラットになるため、搭乗者の体と干渉することもなく、また搭乗者の乗降時の体重移動も円滑に行うことができ、結果として乗降性を向上することができるようになった。
【発明を実施するための最良の形態】
【０００８】
本発明の技術思想を適用した実施例について、車両用のシートおよびその制御装置を一例にして説明する。
【０００９】
図１は本発明を適用可能なシート装置を示す。シート装置１０は、シート座面１１とシートバック１２を備え、シートバック１２はシートリクライナー機構を介してシート座面１１対して回動自在に支持されている。
【００１０】
シートバック１２は着座者の姿勢を安定支持させるため、両側部にサイドサポート１３ａ、１３ｂが設けられている。サイドサポート１３ａ、１３ｂは周知の通り正面視左右方向に開閉して着座者の体型に適応可能に動作する。なお、サイドサポート１３ａ、１３ｂはシートバック１２内に収容された、駆動モータ（図示略）によりその動きと動作が制御されている。シート座面１１はシートバック１２のサイドサポート１３ａ、１３ｂと同様に、着座者の姿勢を安定させるため、両側部にレッグサポート１４ａ、１４ｂが設けられている。レッグサポート１４ａ、１４ｂは周知の通り正面視左右方向に開閉し着座者の体型に適応可能に動作する。なお、レッグサポート１４ａ、１４ｂはシート座面１１内に収容された、駆動モータ（図示略）によりその動きと動作が制御されている。
【００１１】
シート１０は車両の前後にスライド可能となるよう、スライド機構１５を介して床面に固定されている。スライド機構１５は車両側に固定されるロアレールとシート側に固定されるアッパレールを有する。シート１０は、更に、図１の矢印で示した方向に沿い床面に対して左右に傾動するように、アッパレールとシート座面１１との間に傾動機構（図示略）が配されている。左右の傾動機構は独立して動作することができるようになっている。なお、傾動機構はシート座面１１内に収容された、駆動モータ（図示略）によりその動きと動作が制御されている。
【００１２】
スライド機構１５のアッパレールとロアレールとの間には、着座者の体重を検知可能なセンサが配設され、着座者の有無とその重量が実測できるようになっている。
【００１３】
以下、本発明を用いた電動シート制御装置の制御について説明する。なお、制御装置にはスマートエントリーシステムを備えた車両を一例として、同システムとの強調制御を前提に説明する。
【００１４】
先ずスマートキーがステップＳ１にて室外に有る場合、スマートキーを保持した搭乗者（着座者）が車両から所定距離内にあるとシステムは認証を行い、ドアロックはアンロック待機状態となる。次に搭乗者がアウトサイドハンドル（Ｏ／Ｈ）を操作すると車両に「乗る」意思有りと判断し、ステップＳ２において制御装置に対しドア開の信号を出力する。一方、ステップＳ３にてスマートキーを持つ搭乗者が車両内に存在し、インサイドハンドル（Ｉ／Ｈ）を操作すると車両から「降りる」意思有りと判断し、ステップＳ４において制御装置に対しドア開の信号を出力する。なお、ステップ５ではシート位置調節操作スイッチＳ５から制御装置の駆動制御部Ｓ６に出力され、シートの位置が調節できるようになっている。制御装置は前述の駆動制御部Ｓ６、シート位置検出部Ｓ７を備えシート装置の駆動モータに駆動制御信号が出力される。
【００１５】
ステップＳ２，Ｓ４（乗降検知部）にて「ドア開」信号が出力されると、この信号は駆動制御部Ｓ６、シート位置検出部Ｓ７に送出される。制御装置の後段には体重検知装置を有するシート装置が配され、制御装置からの出力信号は体重検知装置Ｓ８が授受する。体重検知装置Ｓ８では、シート座面１１上への搭乗者の有無が検出され、搭乗者が車両内に存在するか否かを検知する。
【００１６】
体重検知装置Ｓ８からは、左右のリンク機構の駆動装置Ｓ９、Ｓ１０（傾動機構、サイドサポート、レッグサポートを含む）への駆動制御信号が送出され、各部の電動モータが制御される。
【００１７】
リンク機構の駆動装置Ｓ９、Ｓ１０は、例えば、運転席側に搭乗する場合、ドア開信号により右側の傾動装置をドア側に向かってシート座面１１が傾斜するように駆動する。同時に右側のサイドサポート１３ｂ、レッグサポート１４ｂはドア側に向かって開くように駆動される。以上動作により、シート装置は搭乗者を迎え入れるように動作して搭乗性が向上する。運転席側から降りる場合、ドア開信号により右側の傾動装置をドア側に向かってシート座面１１が傾斜するように駆動する。同時に右側のサイドサポート１３ｂ、レッグサポート１４ｂはドア側に向かって開くように駆動される。以上動作により、シート装置は搭乗者が容易にシートから降りられるように動作して降車性が向上する。
【００１８】
以上、運転席側のシート装置を一例に作動説明したが、助手席側も同様に機能させることができる。この場合、傾動機構、サイドサポート、レッグサポートは左側が駆動されるよう制御装置から信号が出力される。
【図面の簡単な説明】
【００１９】
【図１】図１は、本発明を適用可能なシート装置の斜視図を示す。
【図２】図２は、本発明によるシート制御装置の制御装置のブロック図を示す。
【符号の説明】
【００２０】
１１  シート座面
１２  シートバック
１３ａ  サイドサポート
１３ｂ  サイドサポート
１４ａ  レッグサポート
１４ｂ  レッグサポート
Ｓ２、Ｓ４  乗降検知部
【図１】
2008012930.tif 000003
【図２】
2008012930.tif 000004